【事件の表示】
　平成　９年特許願第５３６０５２号「インクジェットプリンタ」拒絶査定不服審判事件〔平成　９年１０月１６日国際公開、ＷＯ９７／３７８５４〕について、次のとおり審決する。
【結　論】
　本件審判の請求は、成り立たない。
【理　由】
１．手続の経緯
　本願は、１９９７年４月４日（優先権主張１９９６年４月４日、日本国）を国際出願日とする出願であって、原審において平成１６年１２月１０日付けで通知された拒絶理由通知書に対して、平成１７年２月１８日付けで手続補正書が提出された後、同年６月１５日付けで拒絶査定がなされた。
　これに対し、平成１７年７月２１日付けで拒絶査定に対する審判請求がなされるとともに、同年８月１９日付けで手続補正がなされたものである。
　
２．平成１７年８月１９日付け手続補正についての補正却下の決定
［補正却下の決定の結論］
　平成１７年８月１９日付け手続補正を却下する。
　
［理由］
（１）補正後の本願発明
　本件補正により、請求項１は以下のとおり補正された。 
　「被記録部材に対して相対的に主走査方向と上記主走査方向と直交する副走査方向に移動され、それぞれＮ個のノズルを有し、上記Ｎ個のノズルは上記副走査方向に所定の解像度におけるＫ画素間隔でＫ／Ｎが既約分数となる値で配された複数のプリントヘッドが、吐出するインクの色に応じて上記主走査方向に上記ノズルが沿うように配されるとともに、互いに上記副走査方向にＬ画素ずれて配され、上記プリントヘッドを上記主走査方向に１回相対的に移動させる毎に上記被記録部材を上記副走査方向へ相対的に移動させ、被記録部材上の同一画素に色インクを重ね合わせることにより多色の画像を印刷するヘッド装置と、
　ライン単位の画像データを上記副走査方向に並べ替えて出力する信号処理手段と、
　上記信号処理手段から出力される画像データに対して、上記ヘッド装置による被記録部材上に描画される画像を構成する各ラインの記録の際に、上記信号処理手段から出力される画像データが取りうる最大の記録順序の組み合わせに基づいて画像データの色補正を行う色補正手段とを備えているインクジェットプリンタ。」
　上記補正は、「被記録部材上の同一画素に色インクを重ね合わせることにより多色の画像を印刷する」という技術的な事項を、「上記プリントヘッドを上記主走査方向に１回相対的に移動させる毎に上記被記録部材を上記副走査方向へ相対的に移動させ」て行う、と限定する補正であり、特許法第１７条の２第４項第２号の特許請求の範囲の減縮を目的とするものに該当する。
　そこで、本件補正後の前記請求項１に記載された発明（以下、「本願補正発明」という。）が、平成１５年改正前特許法第１７条の２第５項において準用する同法第１２６条第４項の規定による特許出願の際独立して特許を受けることができるものであるかについて以下に検討する。
　
（２）引用刊行物
　原査定の拒絶の理由に引用された、本願出願前に日本国内において頒布された刊行物である、特公平４−１９０２９号公報（以下、「引用例１」という。）には、図面とともに、次の（ａ）−（ｍ）の事項が記載されている。
　
（ａ）「本発明はサーマルプリンタ、インクジエツトプリンタ等の記録ドツトによる画素マトリクスによつて被記録部材上に画像を形成する記録装置に関する。」（第１頁第２欄２−５行）
（ｂ）「即ち本発明は、複数色の画像信号に基づいて、被記録部材と記録要素が取り付けられた支持体との間でほぼ直交する２つの方向に主走査及び副走査しながら記録画像を形成する記録装置において、前記副走査方向にＫ解像度要素間隔でＮ個の前記記録要素が配列された記録要素群を前記主走査方向に対して所定の間隔で複数列有し、各記録要素群の記録色を互いに異ならしめるとともに、前記複数の記録要素群の列を前記副走査方向にｌ解像度要素間隔ずらして階段状に配列し、前記ｌ解像度要素間隔ずれた位置に対応した各色の画像信号を前記所定の間隔に応じて遅延させて各色の記録要素群に供給して各色の主走査を行い、前記複数の記録要素群の列の主走査毎にＮ解像度要素間隔分副走査を行つて被記録部材上にカラー画像記録を行うとともに、前記Ｋ及びＮの値はＫ／Ｎが既約分数となる値であることを特徴とする記録装置を提供するものである。」（第２頁第３欄１４−３１行）
（ｃ）「 第２図は本発明を適用した多色インクジエツトプリンタの一例を示し、ここで、１１は記録紙、１２は記録紙１１をＹ方向に送る紙送りローラ、１３は紙送りローラ１２を駆動する紙送りパルスモータ、１４は記録紙２を案内する紙ガイドローラである。１５は対向する記録紙１に平行に移動するマルチノズルインクジエツトヘツドユニツトであり、イエロー（Ｙ）用ノズルヘツド１５Ｙ、マゼンタ（Ｍ）用ノズルヘツド１５Ｍ、シアン（Ｃ）用ノズルヘツド１５Ｃおよびブラツク（ＢＫ）用ノズルヘツド１５ＢＫの４色の記録ヘツドからなる。」（第２頁第３欄３４−第４欄１行）
（ｄ）「ここで、本発明装置においては、副走査方向にＫドツト間隔でＮ個の記録要素を配列した記録要素群を主走査方向にＬドツト間隔でＭ列配置すると共に、各記録要素群を副走査方向にｌドツト間隔づつ順次ずらして配置することによつて記録ヘツドを構成する。また、これらＫ，ｌ，ＭおよびＮの値を、
　　　　　　　　　　　ｌＭ≦Ｋ　　　……（１）
　　　　　　　　ｌＭ＞Ｋ
　　　　　　Ｋ（Ｎ−１）＋１＞ｌ
　　　　　　Ｋ／Ｎ：既約分数　　　　……（２）
（１）または（２）式のいずれか一方の関係を満すように定めるものとする。」（第２頁第４欄２−１４行）
（ｅ）「本実施例における記録ヘツド１５の構成例を第３図に示し、各ノズルヘツド１５Ｙ〜１５ＢＫは副走査方向（図示の上下方向）にＫ＝４ドツト間隔毎に配列したＮ＝３個のノズルを有する。これら各ノズルヘツド１５Ｙ〜１５ＢＫは、主走査方向（図面の左右方向）にＬ＝２ドツト間隔毎にヘツド１５Ｙ，１５Ｍ，１５Ｃおよび１５ＢＫの順に平行配置する。更に、第３図示のように、ヘツド１５ＢＫから順に主走査方向にｌ＝１ドツト間隔毎にセツトバツクした状態で各ノズルヘツド１５Ｙ〜１５ＢＫを配置する。このように本実施例においては、Ｋ＝４、ｌ＝１、Ｍ＝４およびＮ＝３であり
　　　　　　ｌＭ＝４＝Ｋ
となり、前述の（１）式を満たすものである。」（第２頁第４欄１５−２９行）
（ｆ）「ここで、記録ヘツド１５の記録動作を説明すると、主走査方向についてはパルスモータ１７により駆動されて１ドツト間隔で往動または復動して記録を行う。すなわち、各ノズルヘツド１５Ｙ〜１５ＢＫの各ノズルを第３図示のようにＹ１，Ｙ２，Ｙ３、Ｍ１，Ｍ２，Ｍ３、Ｃ１，Ｃ２，Ｃ３およびＢＫ１，ＢＫ２，ＢＫ３とし、ノズルヘツド１５ＢＫのノズルＢＫ１が記録紙１１の主走査線ＳＬ上の位置にあるものとすると、往動または復動走査によりそれぞれ主走査線ＳＬ，ＳＬ＋４，ＳＬ＋８にはブラツク、主走査線ＳＬ＋１，ＳＬ＋５，ＳＬ＋９にはシアン、主走査線ＳＬ＋２，ＳＬ＋６，ＳＬ＋１０にはマゼンタ、主走査線ＳＬ＋３，ＳＬ＋７，ＳＬ＋１１にはイエローの各色インクが吐出される。
  往動または復動走査が終了した後は、パルスモータ１３により記録紙１１が各ヘツド１５Ｙ〜１５ＢＫのノズル数に対応するドツト間隔、すなわち３ドツト間隔分紙送り出される。これにより、記録ヘツド１５は記録紙１１に対して３ドツト間隔飛越し走査することとなり、主走査線ＳＬ上のノズルＢＫ／は主走査線（ＳＬ＋３）上に移る。他のノズルも同様に移動し、以後の往動または復動走査により各ノズルの対応する位置に各色の印字が行なわれる。」（第３頁第５欄１３−３７行）
（ｇ）「この結果、第３図示のヘツド１５ＢＫに着目すると、副走査方向への３ドツト間隔の飛越し走査により、各主走査線には各ノズルＢＫ１〜ＢＫ３によつて第４図に示すように印字がなされ、同一部位への二重打ちや印字抜けは生じない。一般に、Ｎ個のノズルが夫々副走査方向にＫドツト間隔で一列に配列されている場合、Ｎ個のそれぞれのノズルが△ｔ時間毎に同一時刻に印字される場合には、二重打ちおよび印字抜けしないための条件はＫ／Ｎが既約分数となることである。本例ではＮ＝３，Ｋ＝４でＫ／Ｎ＝４／３となり、上記要件を満すものである。」（第３頁第５欄３８−第６欄５行）
（ｈ）「次に上述のようにして主走査、副走査を繰り返すことにより記録を行なう訳であるが、多色画像が形成されるためには各主走査線はそれぞれ異なる色インクを吐出するヘツドにより走査されなければならない。本例ではヘツド１５Ｙ〜１５ＢＫによりそれぞれ１回づつ計４回の走査が必要となる。」（第３頁第６欄６−１２行）
（ｉ）「本例では、例えば第３図示の主走査線ＳＬ＋１１においては、ノズルＹ３，ＢＫ３，Ｃ２，Ｍ１の順にこの主走査線ＳＬ＋１１が走査されて、イエロー、ブラツク、シアン、マゼンタの順に色インクが重ね合わされて多色画像が形成される。他の主走査線についても同様であり、各ヘツド１５Ｙ〜１５ＢＫそれぞれのノズルの位置する空間座標をＺY，ＺM，ＺC，ＺBKとおくと、各主走査線について
            ＺY＝ＺM＝ＺC＝ＺBKなる関係が成立する。すなわち、記録紙１１上にはイエロー、マゼンタ、シアン、イエローの色インクの重ね合わせによる多色画像が形成される。」（第３頁第６欄１９−３１行）
（ｊ）「次に、本例において原稿画像を読取る不図示の読取ヘツドが単一センサで構成されているものとし、第５図に、かかる場合に第３図示の記録ヘツド１５で記録する際の制御回路の一例を示す。
　図において、ＢＳ，ＣＳ，ＭＳおよびＹＳは不図示の読取ヘツドを介して読み取られた原稿画像に対応したブラツク、シアン、マゼンタおよびイエローの色信号である。５１〜６０は遅延回路、６１〜６４はスイツチング回路であり、記録ヘツド１５の往動時には図示の実線位置にセツトされ、復動時には図示の破線位置にセツトされる。６５〜７２は遅延回路、Ｙ１〜Ｙ３，Ｍ１〜Ｍ３，Ｃ１〜Ｃ３およびＢＫ１〜ＢＫ３はそれぞれ前述したノズルヘツド１５Ｙ，１５Ｍ，１５Ｃおよび１５ＢＫの各ノズルである。本例を遅延回路５１〜６０では、供給された色信号を２ドツト間隔分遅延させるものとし、また遅延回路６６〜７２においては４主走査線分遅延させるものとする。この結果、イエロー信号ＹＳは往動時にはスイツチング回路６４を介してノズルＹ３に供給され、ノズルＹ２には遅延回路７１を介して４主走査線分遅延された信号ＹＳが、また、ノズルＹ１には遅延回路７１，７２を介して８主走査線分遅延した信号ＹＳがそれぞれ同時刻に供給される。一方、マゼンタ信号ＭＳは、往動時にはスイツチング回路６３を介して遅延回路５６に供給されて２ドツト間隔分遅延された後にノズルＭ３に供給される。ノズルＭ２およびＭ１には前述したノズルＹ２，Ｙ１における場合と同様にして、それぞれ４および８主走査線分遅延されてマゼンダ信号ＭＳが供給される。シアン信号ＣＳは遅延回路５４，５５により４ドツト間隔分遅延されてそれぞれ各ノズルＣ３〜Ｃ１に供給され、ブラツク信号ＢＳは遅延回路５１，５２，５３により６ドツト間隔分遅延されて各ノズルＢＫ３〜ＢＫ１に供給される。
  この結果、各ノズルには同時刻に各ノズルＹ１〜Ｙ３，Ｍ１〜Ｍ３，Ｃ１〜Ｃ３およびＢＫ１〜ＢＫ３の位置する部位に対応した原稿画像の信号が供給されることになる。ヘツド１５の往動に同期して、供給された色信号に従つてインク吐出を行えば、記録紙１１上に原稿画像が再生される。なお、復動時にはスイツチング回路６１〜６４が切換わり図示の破線位置にセツトされ、往動時とは逆の遅延動作が行なわれて原稿画像が記録紙１１上に再生される。」（第３頁６欄３９−第４頁７欄３９行）
（ｋ）「第３図は第２図示の装置の記録ヘツドユニツトの構成例を示す線図」（第５頁第９欄４−５行）
（ｌ）「１５……ヘッドユニット」（第５頁第９欄１３−第１０欄１行）
（ｍ）第２図から、ノズルヘツド１５Ｙ，１５Ｍ，１５Ｃおよび１５ＢＫからなるヘッドユニット１５を有する多色インクジェットプリンタが見てとれる。
　
　そして、上記（ａ）−（ｍ）の記載事項から、以下（イ）−（チ）の事項が認められる。
（イ）上記（ａ）及び（ｃ）に摘記のとおり、引用例１に記載された発明は「記録ドツトによる画素マトリクスによつて被記録部材上に画像を形成する記録装置」に関する発明であり、記録装置として「インクジェットプリンタ」が記載されている。
（ロ）上記（ｂ）には「前記副走査方向にＫ解像度要素間隔でＮ個の前記記録要素が配列された記録要素群」と記載され、当該構成を多色インクジェットプリンタに適用した一例として、上記（ｃ）及び（ｅ）に「１５は対向する記録紙１に平行に移動するマルチノズルインクジエツトヘツドユニツトであり、イエロー（Ｙ）用ノズルヘツド１５Ｙ、マゼンタ（Ｍ）用ノズルヘツド１５Ｍ、シアン（Ｃ）用ノズルヘツド１５Ｃおよびブラツク（ＢＫ）用ノズルヘツド１５ＢＫの４色の記録ヘツドからなる。」、「本実施例における記録ヘツド１５の構成例を第３図に示し、各ノズルヘツド１５Ｙ〜１５ＢＫは副走査方向（図示の上下方向）にＫ＝４ドツト間隔毎に配列したＮ＝３個のノズルを有する。」と記載されている。
　よって、上記「記録要素」及び「記録要素群」は、多色インクジェットプリンタにおける「ノズル」及び各色毎の「ノズルヘッド」に相当するものである。
（ハ）上記（ｂ）に記載のとおり、引用例１に記載された「記録装置」は、「被記録部材と記録要素が取り付けられた支持体との間でほぼ直交する２つの方向に主走査及び副走査しながら記録画像を形成する」ものであり、上記（ｃ），（ｌ）及び（ｍ）の記載から「記録要素が取り付けられた支持体」は具体的には「ヘッドユニット」に相当するものと認められる。
　したがって、引用例１には「被記録部材に対して相対的に主走査方向と主走査方向と直交する副走査方向に移動されるヘッドユニット」が記載されている。
（ニ）上記（ｄ）に記載のとおり「記録ヘッド」は「副走査方向にＫドツト間隔でＮ個の記録要素を配列した記録要素群を主走査方向にＬドツト間隔でＭ列配置すると共に、各記録要素群を副走査方向にｌドツト間隔づつ順次ずらして配置する」構成であって、上記（ｅ）に記載のとおり「各ノズルヘツド１５Ｙ〜１５ＢＫは、主走査方向（図面の左右方向）にＬ＝２ドツト間隔毎にヘツド１５Ｙ，１５Ｍ，１５Ｃおよび１５ＢＫの順に平行配置する」構成である。
　そして、上記Ｋ及びＮの関係は、上記（ｂ）に摘記のとおり「Ｋ及びＮの値はＫ／Ｎが既約分数となる値である」と規定されている。
　また、上記（ｅ）には「記録ヘツド１５の構成例を第３図に示し」と記載され、上記（ｋ），（ｌ）に摘記のとおり、第３図は第２図に示される装置の記録ヘッドユニットの構成例を示す線図であって、図番１５はヘッドユニットを示していることから、引用例１において「記録ヘッド」は「ヘッドユニット」と同義に用いられている。
　よって、引用例１には「それぞれＮ個の記録要素を有し、Ｎ個の記録要素は副走査方向にＫドツト間隔でＫ／Ｎが既約分数となる値で配された複数の記録要素群が、吐出するインクの色に応じて主走査方向にノズルが沿うように配されるとともに、互いに副走査方向にｌドツト間隔づつ順次ずらして配されたヘッドユニット」が記載されている。
（ホ）上記（ｆ）には「記録ヘッド１５の記録動作」について、「往動または復動走査が終了した後は、パルスモータ１３により記録紙１１が各ヘツド１５Ｙ〜１５ＢＫのノズル数に対応するドツト間隔、すなわち３ドツト間隔分紙送り出される」と記載され、「記録ヘッド」は複数の「ノズルヘッド」からなるものであるから、引用例１には「ノズルヘッドを主走査方向に１回相対的に移動させる毎に被記録部材を副走査方向へ相対的に移動させる」構成が記載されていることとなる。
（へ）上記（ｈ）及び（ｉ）の記載から、引用例１に記載された「ヘッドユニット」が「被記録部材上の同一画素に色インクを重ね合わせることにより多色の画像を印刷する」ものであることは明らかである。
（ト）上記（ｈ）に「多色画像が形成されるためには各主走査線はそれぞれ異なる色インクを吐出するヘツドにより走査されなければならない。本例ではヘツド１５Ｙ〜１５ＢＫによりそれぞれ１回づつ計４回の走査が必要となる」と記載され、上記（ｊ）には「記録ヘッド１５で記録する際の制御回路」として「イエロー信号ＹＳは往動時にはスイツチング回路６４を介してノズルＹ３に供給され、ノズルＹ２には遅延回路７１を介して４主走査線分遅延された信号ＹＳが、また、ノズルＹ１には遅延回路７１，７２を介して８主走査線分遅延した信号ＹＳがそれぞれ同時刻に供給される」、「この結果、各ノズルには同時刻に各ノズルＹ１〜Ｙ３，Ｍ１〜Ｍ３，Ｃ１〜Ｃ３およびＢＫ１〜ＢＫ３の位置する部位に対応した原稿画像の信号が供給されることになる」と記載されている。
　ここで、一つの主走査線上の記録動作に着目すると、ある主走査時に例えばイエローが吐出され、次に副走査方向への移動が行われ、次の主走査時に例えばマゼンダが吐出される。そして、この動作がノズルヘッドの数だけ繰り返されている。
　そして、この記録動作は、一つの主走査線上の記録を副走査動作を挟みながら行っていることから、一つの主走査線の画像信号を副走査方向に並べ替えて記録する動作に他ならず、該記録動作を行うために、引用例１に記載された制御回路は、Ｋ解像度要素間隔（引用例１の実施例ではＫ＝４）の整数倍遅延された画像信号が同時刻に吐出されるように、画像信号を遅延する遅延回路を有している。
　したがって、引用例１に記載された「制御回路」は「主走査線単位の画像信号を副走査方向に並べ替えて出力する」構成を有するものである。
（チ）上記（イ）−（ト）に記載のとおり、引用例１に記載された記録装置が、制御回路から出力される画像信号に対して、ヘッドユニットによる被記録部材上に描画される画像を構成する各主走査線上の記録を行っていることは明らかである。
　したがって、上記（イ）−（チ）より、引用例１には以下の発明が記載されていると認められる。
　「被記録部材に対して相対的に主走査方向と主走査方向と直交する副走査方向に移動され、それぞれＮ個のノズルを有し、Ｎ個のノズルは副走査方向にＫドツト間隔でＫ／Ｎが既約分数となる値で配された複数のノズルヘッドが、吐出するインクの色に応じて主走査方向にノズルが沿うように配されるとともに、互いに副走査方向にｌドツト間隔づつ順次ずらして配され、ノズルヘッドを主走査方向に１回相対的に移動させる毎に被記録部材を副走査方向へ相対的に移動させ、被記録部材上の同一画素に色インクを重ね合わせることにより多色の画像を印刷するヘッドユニットと、
　主走査線単位の画像信号を副走査方向に並べ替えて出力する制御回路と、
　制御回路から出力される画像信号に対して、ヘッドユニットによる被記録部材上に描画される画像を構成する各主走査線の記録を行うインクジェットプリンタ。」（以下、引用例１発明という。）
　なお、上記（ｅ）のとおり、引用例１には、具体的な実施例として、Ｋ＝４、ｌ＝１、Ｍ＝４およびＮ＝３であるヘッドユニットが記載されている。
　
（３）対比
　次に、本願補正発明と引用例１発明とを対比すると、  
（イ）引用例１発明における「ノズルヘッド」，「ヘッドユニット」，「主走査線」，「画像信号」及び「制御回路」は、本願補正発明における「プリントヘッド」，「ヘッド装置」，「ライン」，「画像データ」及び「信号処理手段」に相当する。
（ロ）引用例１発明における「Ｋドット間隔」とは上記「（２）（ｂ）」に記載のとおり「Ｋ解像度要素間隔」の意味であり、本願補正発明における「所定の解像度におけるＫ画素間隔」に相当することは明らかである。
（ハ）引用例１発明における「ｌドツト間隔づつ順次ずらして配され」た構成は「ｌ画素ずれて配され」た構成と単に表現が異なるに過ぎず、本願補正発明における「Ｌ画素ずれて配され」た構成に相当する。
　
　以上のことから、本願補正発明と引用例１発明とは、
　「被記録部材に対して相対的に主走査方向と上記主走査方向と直交する副走査方向に移動され、それぞれＮ個のノズルを有し、上記Ｎ個のノズルは上記副走査方向に所定の解像度におけるＫ画素間隔でＫ／Ｎが既約分数となる値で配された複数のプリントヘッドが、吐出するインクの色に応じて上記主走査方向に上記ノズルが沿うように配されるとともに、互いに上記副走査方向にＬ画素ずれて配され、上記プリントヘッドを上記主走査方向に１回相対的に移動させる毎に上記被記録部材を上記副走査方向へ相対的に移動させ、被記録部材上の同一画素に色インクを重ね合わせることにより多色の画像を印刷するヘッド装置と、
　ライン単位の画像データを上記副走査方向に並べ替えて出力する信号処理手段を備え、
　上記信号処理手段から出力される画像データに対して、上記ヘッド装置による被記録部材上に描画される画像を構成する各ラインの記録を行うインクジェットプリンタ。」である点で一致し、次の点で相違している。
　
［相違点］
　本願補正発明は「信号処理手段から出力される画像データが取りうる最大の記録順序の組み合わせに基づいて画像データの色補正を行う色補正手段」を備えているのに対して、引用例１発明はそのような「色補正手段」を備えていない点。
　
（４）判断
　以下、上記相違点について検討する。
　上記相違点である「信号処理手段から出力される画像データが取りうる最大の記録順序の組み合わせに基づいて画像データの色補正を行う色補正手段」とは、本願明細書の第１４頁３−１９行に記載された「上述したように、プリントヘッド１Ｂ〜１Ｙの各インクの吐出順序がライン毎に異なり、このライン毎に色インクの重なり順序が異なることに起因したライン毎の画質の差が、記録紙２上に再現された画像を目視したときに、認識される場合、例えば利用者の操作に応じて、印画順色補正処理部１７は、バンド化処理部１６から供給される各成分のデータに、それぞれのラインのインク重なり順序に適した色補正処理を施す。１種類乃至、例えばヘッド数をＮとしたときに順列NＰNで算出されるプリントヘッド１による実際の印画で取り得る最大の記録順序の種類、あるいは予め定まった記録順序の種類に対する各色インクの記録順序に最適な色補正処理方法を、例えば後述の図６に示すＥＥ−ＰＲＯＭ３４に記憶しておく。そして、印画順色補正処理部１７は、記録紙２に印画される画像の位置によってどのような順序で各色インクが記録されるかを判定し、その記録順序に応じた色補正処理方法をＥＥ−ＰＲＯＭ３４から読み出し、この色補正処理方法を用いて各成分のデータを補正し、印画データとしてプリンタ１０に供給する。なお、これらの色補正処理方法は、予め実験によって求められ、ＥＥ−ＰＲＯＭ３４に記憶されている。」及びＦｉｇ．２Ａ−２Ｃを参酌して解釈すると、「信号処理手段から出力される画像データの記録順序に基づいて画像データの色補正を行う色補正手段」であって、「記録順序」とはプリントヘッド数及びヘッド装置の構造により定まるものであり、それが２以上であるため、各記録順序に基づいて補正を行うとの趣旨に解される。
　しかしながら、多色の画像を印刷する際のインク吐出順序の違いにより生じる色調差という課題は、インクジェットプリンタにおいて周知な課題（引用例２、或いは特開平６−１０６７３６号公報、特開昭６４−５３８５２号公報参照）であり、上記「（２）（ｅ）」に摘記したとおり、引用例２には、被記録部材上の同一画素に色インクを重ね合わせることにより多色の画像を印刷する際のインク吐出順序の違いにより生じる色調差を解消するために色調差補正手段を備えるインクジェットプリンタが記載されている。
　この「色調差補正手段」は上記「（２）（ｆ）」に摘記のとおり、往時と副時におけるインク吐出順序の違いによる色調差に基づく色調差補正テーブルを用いて、インク吐出順序の違いにより生じる色調差を解消するものであるから、画像データの記録順序に基づいて画像データの色補正を行っていることは明らかである。
　そして、引用例１に記載されているインクジェットプリンタの各主走査線における色インクの吐出順序について、第３図を参酌して考察すると、
　ヘッドユニットの副走査方向への相対的な移動の向きを図面下向きとした場合、ヘッドユニットを構成する各ノズルヘッドの副走査移動方向先端に位置する各ノズルは、ノズルＢＫ３，Ｃ３，Ｍ３，Ｙ３となる。
　これら各ノズルに着目して、その記録動作を見るに、
　ノズルＢＫ３が主走査を行う際に、それ以前にその主走査線を走査し得るノズルは、ノズルＢＫ３より副走査移動方向に位置する各ノズルＣ３，Ｍ３，Ｙ３であり、同様に、ノズルＣ３においてはノズルＭ３，Ｙ３、ノズルＭ３においてはノズルＹ３、であることは明らかである。
　よって、ヘッドユニットにおいて最も副走査移動方向先端に位置するノズルであるノズルＹ３が走査する主走査線においては、被記録部材に最初に色インクを吐出するノズルは常にノズルＹ３となる。
　次に、ノズルＭ３が走査する主走査線において、先に走査し得るノズルであるノズルＹ３により走査されているか否かは、両者の位置関係と副走査の間隔により決定されることは明らかである。
　即ち、両者の副走査方向のずれ量が副走査の間隔の正の整数倍（ｌ＝ｎＮ：ｎは正の整数）である時は、ノズルＭ３が走査する主走査線は常にノズルＹ３により走査されていることとなり、そうでない場合は、ノズルＭ３が走査する走査線とノズルＹ３が走査する走査線とは常に重ならなず、よって、ノズルＭ３が走査する主走査線において、被記録部材に最初に色インクを吐出するノズルは常にノズルＭ３となる。
　同様に、ノズルＣ３については、先に走査し得るノズルはノズルＭ３，Ｙ３であるから、ｌ＝ｎＮ：ｎは正の整数の場合、ノズルＣ３が走査する主走査線は常にノズルＭ３により走査されており、２ｌ（ノズルＣ３とノズルＹ３とのずれ量）＝ｎＮ：ｎは正の整数の場合、ノズルＣ３が走査する主走査線は常にノズルＹ３により走査されていることとなる。
　そして、それ以外の場合は、ノズルＣ３が走査する主走査線において、被記録部材に最初に色インクを吐出するノズルは常にノズルＣ３となる。
　ノズルＢＫ３と各ノズルＣ３〜Ｙ３とについても同様の関係があることは明らかであり、ｌ＝ｎＮ：ｎは正の整数、２ｌ＝ｎＮ：ｎは正の整数、３ｌ＝ｎＮ：ｎは正の整数、の関係を満たさない場合は、ノズルＢＫ３が走査する主走査線において、被記録部材に最初に色インクを吐出するノズルは常にノズルＢＫ３となる。
　例えば、第３図に記載されたヘッドユニットにおいては、ノズルＢＫ３とノズルＹ３との副走査方向のずれ量が３であり、副走査間隔Ｎは３であることから、ノズルＢＫ３が走査する主走査線は常にノズルＹ３により走査されていることとなる。
　そして、他のノズルであるＢＫ２〜Ｙ２，ＢＫ１〜Ｙ１についても同様の記録動作が行われることは、上記のとおり考察したノズルＢＫ３〜Ｙ３と同じ配置関係を有していることからみて明らかであり、また、前述ではヘッドユニットの副走査方向への相対的な移動の向きを図面下向きとした場合について考察したが、逆向き（図面上向き）であっても、ヘッドユニットが点対称の構造であることから、同様の記録動作が行われることは明らかである。
　よって、隣り合うノズルヘッドの副走査方向のずれ量が副走査の間隔の正の整数倍、即ち「ｌ＝ｎＮ：ｎは正の整数」である関係が満たされていない場合には、被記録部材に最初に吐出される色インクの種類が少なくとも２以上となることは、上記のとおり、ヘッドユニットの構造及び記録動作から当業者がなんら困難なく導き出せる事項であって、具体的な実施例のヘッドユニットの構造及びその記録動作をみても、ｌ＝１，Ｎ＝３となっており、上記の関係が満たされていないことから、被記録部材に最初に吐出される色インクの種類は少なくとも２以上となっている。
　
　そして、被記録部材に最初に吐出される色インクが異なるという事項の意味するところは、その主走査線上の色インクの吐出順序が異なっていることに他ならず、引用例１発明がインクの吐出順序の違いにより生じる色調差という課題を内在するものであることは当業者には明らかである。
　よって、引用例１発明に「信号処理手段から出力される画像データが取りうる最大の記録順序の組み合わせに基づいて画像データの色補正を行う色補正手段」を配して、本願補正発明の如き構成を得ることは当業者であれば容易に想到し得るものであり、その効果は引用例１発明及び引用例２に記載された事項並びに周知技術から当業者が容易に予測し得る程度のものである。
　
　したがって、本願補正発明は引用例１に記載された発明及び引用例２に記載された事項並びに周知技術に基づいて当業者が容易に発明をすることができたものであるから、特許法第２９条第２項の規定により、特許出願の際独立して特許を受けることができないものである。 
　
　なお、審判請求人は平成１７年８月１９日付けの審判請求書を補正対象とする手続補正書において、引用例２に記載されているプリンタはシングルスキャン方式のシリアルスキャン型のカラープリンタであり、マルチスキャン方式のシリアルスキャン型のカラープリンタである本願発明とは前提が異なる旨を主張し、方式の異なるプリンタにおける技術の適用は容易ではないと述べているが、インクの吐出順序の違いにより生じる色調差という点で、方式の如何に関わらず課題の認識は共通であり、また、本願明細書中で従来例として提示されている、引用例１と同日であり同一出願人の出願である特公平３−７６２２６号公報（特に、第４頁第７欄５−１３行参照）において、マルチスキャン方式のシリアルスキャン型のカラープリンタにおける色インクの重なり順序が変わることによる色調差が課題として認識されていることに鑑みても、審判請求人の主張は採用できない。
　
（５）むすび
　以上のとおり、本件補正は、平成１５年改正前特許法第１７条の２第５項において準用する同法第１２６条第４項の規定に違反するので、同法第１５９条第１項において読み替えて準用する同法第５３条第１項の規定により却下すべきものである。
　
３．本願発明について
　平成１７年８月１９日付けの手続補正は上記のとおり却下されたので、本願の請求項に係る発明は、平成１７年２月１８日付け手続補正書により補正された特許請求の範囲の請求項１−５に記載された事項により特定されるとおりのものであると認められるところ、請求項１に係る発明は、以下のものである。 
　「被記録部材に対して相対的に主走査方向と上記主走査方向と直交する副走査方向に移動され、それぞれＮ個のノズルを有し、上記Ｎ個のノズルは上記副走査方向に所定の解像度におけるＫ画素間隔でＫ／Ｎが既約分数となる値で配された複数のプリントヘッドが、吐出するインクの色に応じて上記主走査方向に上記ノズルが沿うように配されるとともに、互いに上記副走査方向にＬ画素ずれて配され、被記録部材上の同一画素に色インクを重ね合わせることにより多色の画像を印刷するヘッド装置と、
　ライン単位の画像データを上記副走査方向に並べ替えて出力する信号処理手段と、
　上記信号処理手段から出力される画像データに対して、上記ヘッド装置による被記録部材上に描画される画像を構成する各ラインの記録の際に、上記信号処理手段から出力される画像データが取りうる最大の記録順序の組み合わせに基づいて画像データの色補正を行う色補正手段とを備えているインクジェットプリンタ。」（以下、「本願発明」という。）
　
（１）引用刊行物
　原査定の拒絶の理由に引用された刊行物、および、その記載事項は、上記「２．（２）」に記載したとおりである。  
　
（２）対比・判断
　本願発明は、上記「２．」で検討した本願補正発明から「被記録部材上の同一画素に色インクを重ね合わせることにより多色の画像を印刷する」という構成の限定事項である「上記プリントヘッドを上記主走査方向に１回相対的に移動させる毎に上記被記録部材を副走査方向へ相対的に移動させて行う」との規定を省いたものである。  
　したがって、本願発明の構成要件を全て含み、さらに他の構成要件を限定したものに相当する本願補正発明が、上記「２．（４）」に記載したとおり、引用例１に記載された発明及び引用例２に記載された事項並びに周知技術に基づいて当業者が容易に発明をすることができたものであるから、本願発明も同様の理由により、当業者が容易に発明をすることができたものである。
　
（３）むすび
　以上のとおり、本願発明は、引用例１に記載された発明及び引用例２に記載された事項並びに周知技術に基づいて、当業者が容易に発明をすることができたものであるから、特許法第２９条第２項の規定により特許を受けることができない。
　よって、結論のとおり審決する。